(57)【要約】【課題】基本ＯＳなどのバージョンアップ時に、保護継電装置を運用停止せず、プログラムの入れ替え可能とする。【解決手段】ヒューマンインターフェイス装置は、パソコンにあらかじめインストールされている汎用Ｗｅｂブラウザを用いた第１の通信機能と、専用アプリケーションを用いた第２の通信機能と、通信結果を表示する画面を備え、保護継電装置は、第１の通信機能の第１の通信プロトコルでの通信に応じて保護継電装置内のデータを送信する第１のサーバ部と、第１の通信機能の第２の通信プロトコルでの通信に応じて保護継電装置内のデータを送信する第２のサーバ部と、第２の通信機能の第２の通信プロトコルでの通信に応じて保護継電装置内のデータを送信する第３のサーバ部と、電力系統の状況に応じて変化する第１のデータと、保護継電装置に固有の第２のデータとを備え、ヒューマンインターフェイス装置からの要求に応じて保護継電装置内のデータを提供する。【選択図】図１
2011125133.tif 000002
【特許請求の範囲】
【請求項１】
パソコンをヒューマンインターフェイス装置として保護継電装置と接続して使用する保護継電システムにおいて、
前記ヒューマンインターフェイス装置は、パソコンにあらかじめインストールされている汎用Ｗｅｂブラウザを用いた第１の通信機能と、専用アプリケーションを用いた第２の通信機能と、通信結果を表示する画面を備え、
前記保護継電装置は、前記第１の通信機能の第１の通信プロトコルでの通信に応じて保護継電装置内のデータを送信する第１のサーバ部と、前記第１の通信機能の第２の通信プロトコルでの通信に応じて保護継電装置内のデータを送信する第２のサーバ部と、前記第２の通信機能の第２の通信プロトコルでの通信に応じて保護継電装置内のデータを送信する第３のサーバ部と、電力系統の状況に応じて変化する第１のデータと、保護継電装置に固有の第２のデータとを備え、
前記ヒューマンインターフェイス装置からの要求に応じて保護継電装置内のデータを提供することを特徴とする保護継電システム。
【請求項２】
請求項１記載の保護継電システムにおいて、
前記第１のサーバ部が送信する保護継電装置内のデータには保護継電装置に固有の第３のデータを含み、かつ保護継電装置に固有の第２のデータと第３のデータは、同種データが異なる言語で記述されたものであることを特徴とする保護継電システム。
【請求項３】
請求項２記載の保護継電システムにおいて、
前記保護継電装置に固有の第２のデータは、前記保護継電装置側の言語で記述され、前記保護継電装置に固有の第３のデータは、前記ヒューマンインターフェイス装置側の言語で記述されたものであることを特徴とする保護継電システム。
【請求項４】
請求項１記載の保護継電システムにおいて、
前記第１のサーバ部が送信する保護継電装置内のデータには、保護継電装置に固有の第３のデータと、前記ヒューマンインターフェイス装置の画面表示と画面操作処理に関する第４のデータと、前記第２の通信プロトコルでの通信処理に関する第５のデータとを含み、
前記の専用アプリケーションは、前記ヒューマンインターフェイス装置の画面表示と画面操作処理に関する第４のデータを備えていることを特徴とする保護継電システム。
【発明の詳細な説明】
【技術分野】
【０００１】
本発明は、保護継電装置と、この保護継電装置に通信回線を介して接続する可搬形ヒューマンインターフェイス装置とから構成される保護継電システムに関する。
【背景技術】
【０００２】
電力系統の各種施設内には、電力機器や保護継電装置などの重要設備が設置されており、当該施設内の各種電気量や、動作状態は遠方の施設においても把握され、あるいは遠方の施設からも制御可能とされる必要がある。例えば、変電所にも電力機器や保護継電装置などが設置されているが、多くの変電所は無人であるため、遠方の有人施設で管理、制御を行なえることが重要になる。
【０００３】
この点に関し、近年ではパソコンで構成される可搬形ヒューマンインターフェイス装置が採用されており、遠隔からの変電所管理を可能としている。この可搬形ヒューマンインターフェイス装置によれば、一般の通信回線網、または専用回線を利用することにより、変電所に設置した保護継電装置に対して、遠隔地の有人施設から接続でき、保護継電装置や変電機器の情報取得が可能である。
【０００４】
いわゆるパソコンを使用する可搬形ヒューマンインターフェイス装置は、可能な範囲でパソコンに標準装備の機能をそのままに使用し、特殊な機能の使用を極力排除した形とされている。
【０００５】
例えば通信に関しては、可搬形ヒューマンインターフェイス装置は、パソコンにあらかじめインストールされている汎用Ｗｅｂブラウザを使用して通信を行なう方法が主流である。これによりインターネットに接続する方法と同じ要領で、ＩＰ（internet protocol）アドレス、およびＵＲＬ(user requirement language)を指定して保護継電装置と接続することが可能である。なお、一部には汎用Ｗｅｂブラウザではなく、可搬形ヒューマンインターフェイス装置専用に開発したアプリケーションソフトを使用して、汎用Ｗｅｂブラウザと同様にＩＰアドレスを指定して保護継電装置と接続する方法もある。
【０００６】
またプログラミング言語に関しては、パソコンに標準装備されている汎用プログラミング言語（例えば商標名がＪａｖａプログラム）を使用して、ヒューマンインターフェイス装置への画面表示や画面操作時の処理を行うのが一般的である。また、パソコンに標準装備されている汎用プログラミング言語の実行のために、これも標準装備されている汎用プログラミング言語実行ソフトウェア（例えば商標名がＪａｖａ  ＶＭ）を装備しており使用する。
【０００７】
これに対し、保護継電装置の側も、可搬形ヒューマンインターフェイス装置と通信を行なうに対応する機能を有する必要があり、例えば汎用ＷｅｂブラウザとＨＴＴＰプロトコルでの通信を行なうＨＴＴＰサーバ処理部、ＴＣＰプロトコルでの通信を行なうＴＣＰサーバ処理部、画面構成するためのＨＴＭＬファイル、保護継電装置側の情報などに関する汎用プログラミング言語などを備える。
【０００８】
保護継電装置並びに、可搬形ヒューマンインターフェイス装置からなる保護継電システムは以上のように構成され、可搬形ヒューマンインターフェイス装置を保護継電装置に接続した際、保護継電装置から可搬形ヒューマンインターフェイス装置へ汎用プログラミング言語がダウンロードされる。その後、あらかじめパソコンにインストールされている汎用プログラミング言語実行ソフトウェアにより、汎用プログラミング言語が実行されて画面表示や操作処理などが行われる。
【０００９】
特許文献１には、概ね上記のように構成された保護継電装置並びに、可搬形ヒューマンインターフェイス装置からなる保護継電システムが記載されている。
【先行技術文献】
【特許文献】
【００１０】
【特許文献１】特開２００３-３４８７７０号
【発明の概要】
【発明が解決しようとする課題】
【００１１】
上記で説明したところの汎用プログラミング言語は、汎用プログラミング言語実行ソフトウェア、汎用Ｗｅｂブラウザ、基本ＯＳ上で実行・処理されるため、汎用プログラミング言語実行ソフトウェア、汎用Ｗｅｂブラウザ、基本ＯＳの機能変更によるバージョンアップ時には、汎用プログラミング言語が影響を受けることがある。この場合に、ヒューマンインターフェイス装置の画面表示や画面操作が正常に機能しないことが考えられる。
【００１２】
そのためには、汎用プログラミング言語を、基本ＯＳ、汎用Ｗｅｂブラウザ、汎用プログラミング言語実行ソフトウェアのバージョンアップに合わせて正常に機能するよう修正し、保護継電装置の汎用プログラミング言語を、修正した汎用プログラミング言語へ入れ替える必要がある。
【００１３】
しかしながら、変電所で稼動している保護継電装置に対して汎用プログラミング言語の入替を行う際は、保護継電装置を一旦運用停止して行う必要がある。この間は保護継電装置が機能しないので無保護状態となり、かつ遠方の多数の変電所設備内の保護継電装置を極力短時間のうちに修復することは、電力会社、およびメーカともに手間のかかる作業が発生することになる。
【００１４】
しかも、基本ＯＳ、汎用Ｗｅｂブラウザ、汎用プログラミング言語実行ソフトウェアのバージョンアップは頻繁に行われており、特に汎用プログラミング言語に影響を与えるような大きなバージョンアップは数年に１回の頻度で行われている。
【００１５】
これに対して保護継電装置は変電所に設置後、同機種を１０年以上使用するケースが一般的であり、この間に、汎用プログラミング言語の修正のために何回も保護継電装置を運用停止する可能性があることは、運用面において問題である。基本ＯＳ、汎用Ｗｅｂブラウザ、汎用プログラミング言語実行ソフトウェアのバージョンアップ時に、ヒューマンインターフェイス装置のプログラムが影響を受けず、正常に機能すること、もくしは、影響を受けてプログラムの修正が必要な場合でも、保護継電装置を運用停止せず、プログラムの入れ替えが可能な構成を実現することが課題となる。
【課題を解決するための手段】
【００１６】
パソコンをヒューマンインターフェイス装置として保護継電装置と接続して使用する本発明の保護継電システムは、
ヒューマンインターフェイス装置は、パソコンにあらかじめインストールされている汎用Ｗｅｂブラウザを用いた第１の通信機能と、専用アプリケーションを用いた第２の通信機能と、通信結果を表示する画面を備え、
保護継電装置は、第１の通信機能の第１の通信プロトコルでの通信に応じて保護継電装置内のデータを送信する第１のサーバ部と、第１の通信機能の第２の通信プロトコルでの通信に応じて保護継電装置内のデータを送信する第２のサーバ部と、第２の通信機能の第２の通信プロトコルでの通信に応じて保護継電装置内のデータを送信する第３のサーバ部と、電力系統の状況に応じて変化する第１のデータと、保護継電装置に固有の第２のデータとを備え、ヒューマンインターフェイス装置からの要求に応じて保護継電装置内のデータを提供する。
【００１７】
また、第１のサーバ部が送信する保護継電装置内のデータには保護継電装置に固有の第３のデータを含み、かつ保護継電装置に固有の第２のデータと第３のデータは、同種データが異なる言語で記述される。
【００１８】
また、保護継電装置に固有の第２のデータは、保護継電装置側の言語で記述され、保護継電装置に固有の第３のデータは、ヒューマンインターフェイス装置側の言語で記述される。
【００１９】
また、第１のサーバ部が送信する保護継電装置内のデータには、保護継電装置に固有の第３のデータと、ヒューマンインターフェイス装置の画面表示と画面操作処理に関する第４のデータと、第２の通信プロトコルでの通信処理に関する第５のデータとを含み、
専用アプリケーションは、ヒューマンインターフェイス装置の画面表示と画面操作処理に関する第４のデータを備えている。
【発明の効果】
【００２０】
本発明によれば、パソコンの基本ＯＳ、汎用Ｗｅｂブラウザ、汎用プログラミング言語実行ソフトウェアがバージョンアップしても、保護継電装置のプログラムを入れ替えすることなく、パソコンに専用アプリケーションをインストールするだけで、可搬形ヒューマンインターフェイスを正常に使用することが可能となる。
【図面の簡単な説明】
【００２１】
【図１】本発明が適用される保護継電装置内のプログラム構成を示す図。
【図２】本発明の保護継電装置が適用される保護対象である送電線の電力系統を示す図。
【図３】保護継電装置とヒューマンインターフェイスとして使用する汎用Ｗｅｂブラウザの通信手順を示す図。
【図４】保護継電装置とヒューマンインターフェイスとして使用する専用アプリケーションの通信手順を示す図。
【図５】ヒューマンインターフェイスのメインメニュー画面を示す図。
【図６】ヒューマンインターフェイスの整定画面を示す図。
【図７】汎用プログラミング言語２５の機能を示す図。
【図８】専用アプリケーションの場合の、機能振り分けを示す図。
【発明を実施するための形態】
【００２２】
以下、本発明の実施形態について説明する。
【実施例】
【００２３】
まず、本発明が関わる電力系統と保護継電装置の概要について、図２を参照して簡単に説明する。図中において、符号１０は、保護対象である電力系統の送電線を示しており、この送電線に設置された計器用変成器１１より電流情報や電圧情報１２を保護継電装置１３に取り込む。その後、保護継電装置１３に実装される複数の演算処理基板により、予め定められた処理手順に従って一定周期ごとに保護継電演算処理を行い、その結果に基づいて、電力系統に設置される遮断器１４に保護指令１５を出力する。なお、保護継電装置はディジタル保護継電装置で構成されている。
【００２４】
保護継電装置１３と可搬形ヒューマンインターフェイス装置ＨＩ３８から構成される本発明の保護継電システムの構成を図１に示す。まず、保護継電装置１３内の処理部は、保護継電演算処理部２１と、ヒューマンインターフェイス処理部２８の２つの処理部に大別される。保護継電装置１３で使用するデータは、保護継電装置固有データ２３、状況に応じて変化するデータ２２にて構成される。
【００２５】
ヒューマンインターフェイス処理部２８は、サーバ処理部２７、ＨＴＭＬファイル２４、汎用プログラミング言語２５で構成される。また、サーバ処理部２７は、ＨＴＴＰ（hypertext transport protocol）サーバ処理部２９、ＴＣＰ(transmission control protocol)サーバ処理部３０、ＴＣＰサーバ処理部３１で構成される。なお、汎用プログラミング言語２５内には、保護継電装置固有データ２６が含まれる。
【００２６】
他方、パソコンで構成される可搬形ヒューマンインターフェイス装置ＨＩ３８は、汎用Ｗｅｂブラウザ３４と、専用アプリケーション３７から構成される。このうち、汎用Ｗｅｂブラウザ３４は、基本ＯＳ３３上で動作し、汎用プログラミング言語実行ソフトウェア３５と、後述するが保護継電装置１３からパソコンへ転送された汎用プログラミング言語３６とから構成される。また、専用アプリケーション３７は、基本ＯＳ３３上で動作する。
【００２７】
図３に、保護継電装置１３とヒューマンインターフェイス装置ＨＩ３８内の汎用Ｗｅｂブラウザ３４の間の通信手順を示しており、以下各ステップに従い順次説明する。なお、図１の保護継電装置１３の、各部の詳細機能や取り扱うデータについては、以下の通信手順の中で、必要に応じて適宜説明する。
【００２８】
ステップＳ１００：汎用Ｗｅｂブラウザ３４を用いて、保護継電装置１３のＩＰアドレスを指定して接続を開始する。なお、このときに汎用Ｗｅｂブラウザ３４は、ＨＴＴＰプロトコルを使用して接続を開始する。
【００２９】
ステップＳ１０１：ＨＴＴＰプロトコルを使用する通信は、保護継電装置１３内のサーバ処理部２７の中のＨＴＴＰサーバ処理部２９にて受信される。そして、指定されたＩＰアドレスの保護継電装置１３内のＨＴＴＰサーバ処理部２９が起動して、汎用Ｗｅｂブラウザ３４からの呼びかけに呼応する形で応答通信を開始する。応答通信の内容として、具体的には、ＨＴＭＬファイル２４に記憶されているＨＴＭＬファイルを、汎用Ｗｅｂブラウザ３４に転送する。なお、以後の通信はＩＰアドレスで指定された当該の保護継電装置１３と、汎用Ｗｅｂブラウザ３４の間で実行されることは言うまでもない。
【００３０】
ここで、ＨＴＭＬファイル２４とは、ヒューマンインターフェイス装置ＨＩ３８に備えられたモニタの画面構成によるが、例えば、図５に示すメインメニュー画面５０や、図６に示す整定画面６０などの画面毎に構成したものである。また、ＨＴＭＬファイル２４には、保護継電装置１３に格納されている汎用プログラミング言語２５をダウンロードする処理が組み込まれている。
【００３１】
汎用Ｗｅｂブラウザ３４では、転送されたＨＴＭＬファイルの処理を開始して、汎用プログラミング言語２５のダウンロードを要求する処理に入る。
【００３２】
ステップＳ１０２：汎用Ｗｅｂブラウザ３４から、保護継電装置１３に対して、汎用プログラミング言語２５のダウンロードを要求する。なお、このときに汎用Ｗｅｂブラウザ３４は、ＨＴＴＰプロトコルを使用した通信を行なっている。
【００３３】
ステップＳ１０３：ＨＴＴＰプロトコルを使用した汎用プログラミング言語２５のダウンロード要求は、当該保護継電装置１３内のＨＴＴＰサーバ処理部２９にて受け付けられ、保護継電装置１３内のサーバ処理部２７に保持されている汎用プログラミング言語２５を、汎用Ｗｅｂブラウザ３４に向けてダウンロードする。
【００３４】
ここで、汎用プログラミング言語２５について説明をしておく。汎用プログラミング言語２５は、図７に整理したように以下の機能を備えている。
機能１:図１の装置固有データ２３に記憶されたと同種類の各種のデータ２６の保持、記憶。具体的には、整定に関して、各名称、範囲、ステップ。強制制御の各名称。試験設定の各名称。オシロ出力信号の各名称。運用状態の各名称。保護継電装置の各名称。入力電気量、計測の各名称等。
機能２：装置固有データ２６を所定の配置にて表示する処理。
機能３：画面の切り替えや、整定操作、設定操作等の所定の操作処理。
機能４：データを保護継電装置１３からＴＣＰ／ＩＰプロトコルにより取得する通信処理。通信されるデータは、整定値、運用状態、保護継電装置状態、入力電気量、計測値、動作内容、異常内容等の状況に応じて変化するデータ２２。
機能５：状況に応じて変化するデータ２２を所定の配置にて表示する処理。
【００３５】
保護継電装置１３からのダウンロードにより汎用プログラミング言語２５を入手した汎用Ｗｅｂブラウザ３４においては、これを汎用プログラミング言語３６として保持する。そのうえで、汎用プログラミング言語実行ソフトウェア３５により、汎用プログラミング言語３６の処理を開始する。この処理の結果として、汎用Ｗｅｂブラウザ３４側においては、汎用プログラミング言語３６のいくつかの機能のうち、機能４の「データを保護継電装置１３からＴＣＰ／ＩＰプロトコルにより取得する通信処理」を取得する。従って、以後の汎用Ｗｅｂブラウザ３４側からの通信処理はＴＣＰ／ＩＰプロトコルにより実施されることになる。
【００３６】
また、保護継電装置１３からのダウンロードにより汎用プログラミング言語３６を入手し、その解析が終了した汎用Ｗｅｂブラウザ３４側においては、図７の汎用プログラミング言語３６の各機能が入手されている。この機能の中には、保護継電装置１３に特有の名称などが含まれており、かつ画面構成の基本的な情報が入手済みであるので、この段階から本格的に保護継電装置１３との間での保護制御に関わる信号の送受信が開始可能となる。
【００３７】
ステップＳ１０４：保護制御に関わる信号の送受信の第１段階として、汎用Ｗｅｂブラウザ３４側の転送された汎用プログラミング言語３６の機能を利用して、保護継電装置１３に対して、保護継電装置１３の状態を報告するよう要求する。ここで、保護継電装置１３の状態とは、正常、異常、動作状態、装置名称などである。また、このときの保護継電装置１３に向けての通信は、汎用プログラミング言語２５の機能４で取得したＴＣＰ／ＩＰプロトコルにより実行される。
【００３８】
ステップＳ１０５：保護継電装置１３では、ＴＣＰ／ＩＰプロトコルにより送信されてきた通信を受けて、ＴＣＰサーバ処理部３０が起動し、要求された保護継電装置１３の状態を、状況により変化するデータ２２から得て、パソコンの汎用Ｗｅｂブラウザ３４側の転送された当該汎用プログラミング言語３６とＴＣＰサーバ処理３０間で、ＴＣＰ／ＩＰプロトコルによりデータ転送を行う。
【００３９】
なお、ＴＣＰサーバ処理部３０は、ＨＴＴＰサーバ処理部２９にて汎用プログラミング言語２５を汎用Ｗｅｂブラウザ３４側に転送(ステップＳ１０３)した後、汎用プログラミング言語３６から保護継電装置１３へ、ＴＣＰ／ＩＰプロトコルを使用して接続してきた際、当該サーバ処理部３０で受け付け、所定の応答をするサーバ処理部である。ステップＳ１０３で要求されたデータは、保護継電装置１３の状態に関するものであったが、一般的にはより広範の要求を受けて、所定の応答をする。
【００４０】
ここで所定の応答とは、保護継電装置１３内の整定変更、時刻やネットワークアドレス、装置名称等の設定変更などである。また、保護継電装置が制御機能も含む保護制御装置である場合には、変電機器の制御、保護継電装置内の状況に応じて変化するデータ２２の内から、汎用プログラミング言語３６により要求されたデータを転送することである。
【００４１】
また、保護継電装置内の状況に応じて変化するデータ２２とは、整定値、運用状態、保護継電装置動作状態、入力電気量、計測値、動作内容、異常内容などである。
【００４２】
要求した保護継電装置１３の状態に関する情報を得て、汎用Ｗｅｂブラウザ３４内の汎用プログラミング言語３６は、ヒューマンインターフェイスの初期表示画面であるメインメニュー画面の表示を行う。
【００４３】
メインメニュー画面は図５に一例を示しており、ここには、保護継電装置１３の状態を示す正常、異常、動作の表示５２や、保護継電装置１３にあらかじめ設定されている装置名称５１が表示される。これらの正常、異常、動作の表示５２や、装置名称５１の表示のためには、先に説明した一連の応答を通じて、汎用Ｗｅｂブラウザ３４に入手され、汎用プログラミング言語３６により作成された画面である。
【００４４】
ヒューマンインターフェイスの初期表示画面であるメインメニュー画面５０から、画面を切り替える操作が行われた場合は、汎用プログラミング言語２５により画面切り替えが行われ、所定の画面が表示される。
【００４５】
ステップＳ１０６：画面切り替えの例として、汎用Ｗｅｂブラウザ３４側で整定値の表示を要求したとする。
【００４６】
ステップＳ１０７：保護継電装置１３内のＴＣＰサーバ処理部３０が応答し、整定値を送信する。汎用Ｗｅｂブラウザ３４側では、整定画面として、図６の表示を行なう。整定画面においては、先の正常、異常、動作の表示５２や、装置名称５１に追加する形で、整定名称６１や、整定値６２を表記する。なお、整定名称６１は汎用プログラミング言語３６の機能１として得られる装置固有データ２６から、整定値６２は状況に応じて変化するデータ２２から呼び出されたものである。
【００４７】
本発明の可搬形ヒューマンインターフェイス装置ＨＩ３８の汎用Ｗｅｂブラウザ３４では、以上のようにして保護継電装置１３との接続を確保、実行して必要な情報を得、画面上に表示しながら所定の操作を実行することができる。
【００４８】
また本発明の可搬形ヒューマンインターフェイス装置ＨＩにおいては、パソコンに専用アプリケーション３７をインストールしており、ここからも保護継電装置と接続を実行して必要な情報を得、画面上に表示しながら所定の操作を実行することができる。
【００４９】
次に、専用アプリケーション３７を用いた処理について図３と図４を対比して説明するが、ステップＳ１０４以降の処理の多くは、汎用Ｗｅｂブラウザ３４のときと同じである。従って、以下の説明では、相違点を主体にして説明する。
【００５０】
相違の第１点は、準備段階（ステップＳ１００乃至ステップＳ１０３）の手順を簡略化できる点である。ステップＳ１００において、専用アプリケーション３８側から、保護継電装置１３のＩＰアドレスを指定して送信開始したのに対して、保護継電装置１３からは通信確立の応答（図４には図示していない）はあるが、このときに図３の場合のように何らかのデータ（ＨＴＭＬあるいは汎用プログラミング言語）が送信されてくるわけではないので、ステップＳ１０１乃至ステップＳ１０３が不要となり、手順が簡略化されている。
【００５１】
相違の第２点は、汎用プログラミング言語２５に相当する機能を専用アプリケーション３７側と、保護継電装置１３側に分担して保持した点である。この分担関係を図８に示している。
図８において、機能１は装置固有データ２３そのものであり、保護継電装置１３に保有され、必要に応じて専用アプリケーション３７側に送られる。機能２，３、５はモニタ画面の表示あるいは、操作に関するものであるので、専用アプリケーション３７に備えられる。機能４のうち、通信処理の機能は双方に備える必要があるが、状況に応じて変化するデータは保護継電装置１３に保有され、必要に応じて専用アプリケーション３７側に送られる。
【００５２】
相違の第３点は、図１に示すようにＴＣＰ／ＩＰプロトコルを使用して接続する相手が保護継電装置１３側のＴＣＰサーバ処理部３１である点である。
【００５３】
相違の第４点は、ＴＣＰサーバ処理部３１は、装置固有データ２３と、状況に応じて変化するデータ２２にアクセスしてデータを専用アプリケーション３７に送付する点などである。
【００５４】
ステップＳ１０４：保護制御に関わる信号の送受信の第１段階として、汎用Ｗｅｂブラウザ３４側の転送された汎用プログラミング言語３６の機能を利用して、保護継電装置１３に対して、保護継電装置１３の状態を送信するように要求する。ここで、保護継電装置１３の状態とは、正常、異常、動作状態、装置名称などである。
【００５５】
専用アプリケーション３７と、保護継電装置１３は以上のように構成されているので、図４に示すように実質上はステップＳ１０４の保護継電装置１３に対する状態報告要求からスタートできる。このときの保護継電装置１３に向けての通信は、図８の機能４のＴＣＰ／ＩＰプロトコルにより実行開始され、専用アプリケーション３７はＴＣＰ／ＩＰプロトコルによる通信機能を最初から保有している。
【００５６】
保護継電装置１３のＴＣＰサーバ処理部３１にて、上記の専用アプリケーション３７からの接続を受け付け、所定のデータを装置固有データ２３と、状況に応じて変化するデータ２２にアクセスしてデータを専用アプリケーション３７に送付する（ステップＳ１０５）。なお、保護継電装置の状態を要求された場合には、ＴＣＰサーバ処理３１は、装置の状況に応じて変化するデータ２２から正常、異常、動作の状態や装置名称を取得して、専用アプリケーション３７へ転送する。
【００５７】
専用アプリケーション３７側では、得られた情報を元に、ヒューマンインターフェイスの初期表示画面である図５のメインメニュー画面５０の表示を行う。メインメニュー画面５０では、保護継電装置１３の状態を示す、正常、異常、動作の表示５２や、保護継電装置１３にあらかじめ設定されている装置名称５１の表示を行う。
【００５８】
ヒューマンインターフェイスの初期表示画面であるメインメニュー画面５０から、画面を切り替える操作が行われた場合は、専用アプリケーション３７により画面切り替えが行われ、所定の画面が表示される。
【００５９】
例えば整定画面６０へ切り替える操作が行われた場合は、専用アプリケーション３７は、まず整定画面６０の表示に必要な整定値を保護継電装置１３から取得するため、保護継電装置１３のＴＣＰサーバ処理３１に対して整定値を要求する（ステップＳ１０６）。
【００６０】
保護継電装置１３のＴＣＰサーバ処理３１は、装置の状況に応じて変化するデータ２２から、現状、保存され運用されている整定値を取得して、専用アプリケーション３７へ転送する（ステップＳ１０７）。整定値を取得した専用アプリケーション３７は、取得した整定値とともに図６に示すような整定画面６０を表示する。他の画面についても整定画面６０と同様の手順により、必要なデータを専用アプリケーション３７から保護継電装置１３のＴＣＰサーバ処理３１に対して要求して取得し、画面表示を行う。
【００６１】
ＴＣＰサーバ処理３１の所定の応答とは、保護継電装置１３内の整定変更、時刻やネットワークアドレス、装置名称等の設定変更、保護継電装置１３が制御機能も含む保護制御装置である場合には、変電機器の制御、保護継電装置１３内の状況に応じて変化するデータ２２の内から、専用アプリケーション３７から要求されたデータを転送することである。
【００６２】
前記の保護継電装置１３内の状況に応じて変化するデータ２２とは、装置の正常、異常、動作を示す状態、装置名称、整定値、運用状態、保護継電装置動作状態、入力電気量、計測値、動作内容、異常内容である。
【００６３】
以上のようにして本発明装置では、可搬形ヒューマンインターフェイス装置ＨＩ３８内に汎用Ｗｅｂブラウザ３４と専用アプリケーション３７を備えることでパソコンの基本ＯＳ３３、汎用Ｗｅｂブラウザ３４、汎用プログラミング言語実行ソフトウェア３６がバージョンアップしても、保護継電装置１３のプログラムを入れ替えすることなく、パソコンに専用アプリケーションをインストールするだけで、可搬形ヒューマンインターフェイスを正常に使用することが可能となる。
【００６４】
なお、図１の実施例では保護継電装置１３内の汎用プログラミング言語２５が、装置固有データ２６を備えている。これは装置固有データ２３と重複して保持したものである。本発明では、このように構成した結果、ステップＳ１０３の転送処理を２回実行（図７の機能１の送付で１回と、他の機能の送付で１回）することを避けたものであり、通信負荷を軽減できるという効果がある。
【００６５】
また、データ２６は、パソコン側の汎用プログラミング言語で記述されているが、これに対し装置固有データ２３の記述言語は保護継電装置１３側の例えばＣ言語である。このため、装置固有データ２３のみの構成にすると、転送の都度言語間変換処理が発生し、処理が複雑となることを避けるという意味合いもある。
【００６６】
さらに、可搬形ヒューマンインターフェイス装置ＨＩ３８内に汎用Ｗｅｂブラウザ３４と専用アプリケーション３７を備える本発明によれば、パソコンの基本ＯＳ３３、汎用Ｗｅｂブラウザ３４、汎用プログラミング言語実行ソフトウェア３６などのバージョンアップ時に、汎用Ｗｅｂブラウザ３４による通信が不可能となることが想定されるが、専用アプリケーション３７が同等機能を実行するので、この修復は急ぎで行なう必然性がない。この結果、バージョンアップ対策は電力系統側の事情に応じて、例えば変電所の定期点検などの機会を捉えて実施することでよい。
【産業上の利用可能性】
【００６７】
変電所に限らず、遠方設備の状態監視や操作が簡便に継続して実施できるので電力系統に広く適用することができる。
【符号の説明】
【００６８】
１０    保護対象である電力系統の送電線
１１    計器用変成器
１２    電流情報・電圧情報
１３    保護継電装置
１４    遮断器
１５    保護指令
２１    保護継電演算処理部
２２    状況に応じて変化するデータ
２３    装置固有データ
２４    ＨＴＭＬファイル
２５    汎用プログラミング言語
２６    汎用プログラミング言語内にある装置固有データ
２７    サーバ処理部
２８    ヒューマンインターフェイス処理部
２９    ＨＴＴＰサーバ処理部
３０    ＴＣＰサーバ処理部
３１    ＴＣＰサーバ処理部
３２    パソコン
３３    基本ＯＳ
３４    汎用Ｗｅｂブラウザ
３５    汎用プログラミング言語実行ソフトウェア
３６    保護継電装置からパソコンへ転送された汎用プログラミング言語
３７    専用アプリケーション
３８    可搬形ヒューマンインターフェイス装置ＨＩ
５０    メインメニュー画面
５１    装置名称
５２    装置状態、正常、異常、動作
６０    整定画面
６１    整定名称
６２    整定値
【図１】
2011125133.tif 000003
【図２】
2011125133.tif 000004
【図３】
2011125133.tif 000005
【図４】
2011125133.tif 000006
【図５】
2011125133.tif 000007
【図６】
2011125133.tif 000008
【図７】
2011125133.tif 000009
【図８】
2011125133.tif 000010